(57)【要約】【課題】  複数ユーザによって同時に利用される際の使い勝手を格段と向上させることができる情報処理装置を実現する。【解決手段】  ハードディスクレコーダ１は、ユーザ「お父さん」、ユーザ「かなこ」又はユーザ「お母さん」が個別にログインする際に用いる各ユーザ用の設定情報とは別に、ユーザ「お父さん」及びユーザ「かなこ」が同時にログインする際に用いる「お父さん」及び「かなこ」用の設定情報を予めハードディスクドライブ４に記憶しておき、ユーザ「お父さん」とユーザ「かなこ」の両方がログインしたときには、かかる「お父さん」及び「かなこ」用の設定情報に従って処理を実行することにより、「お父さん」及び「かなこ」共用の利用環境を提供するようにした。【選択図】          図１
2005157894.tif 000002
【特許請求の範囲】
【請求項１】
外部から音声信号が入力される音声信号入力手段と、
上記音声信号入力手段を介して入力された上記音声信号に基づいて当該音声信号に対応するユーザを認識するユーザ認識手段と、
各ユーザごとに設定された環境設定情報と、複数ユーザごとに設定された環境設定情報とを記憶しておく設定情報記憶手段と、
上記ユーザ認識手段によって一のユーザを認識した場合、当該一のユーザに対応する上記環境設定情報に従って処理を実行することにより当該一のユーザ専用の利用環境を提供し、上記ユーザ認識手段によって複数ユーザを認識した場合、当該複数ユーザに対応する上記環境設定情報に従って処理を実行することにより当該複数ユーザ共用の利用環境を提供する処理実行手段と
を具えることを特徴とする情報処理装置。
【請求項２】
外部から音声信号が入力される音声信号入力ステップと、
上記音声信号入力ステップで入力された上記音声信号に基づいて当該音声信号に対応するユーザを認識するユーザ認識ステップと、
上記ユーザ認識ステップによって一のユーザを認識した場合、所定の設定情報記憶手段に記憶されている複数の環境設定情報のうち当該一のユーザに対応する上記環境設定情報に従って処理を実行することにより当該一のユーザ専用の利用環境を提供し、上記ユーザ認識ステップによって複数ユーザを認識した場合、上記設定情報記憶手段に記憶されている複数の環境設定情報のうち当該複数ユーザに対応する上記環境設定情報に従って処理を実行することにより当該複数ユーザ共用の利用環境を提供する処理実行ステップと
を具えることを特徴とする情報処理装置の利用環境提供方法。
【請求項３】
上記処理実行ステップでは、
上記ユーザ認識ステップによって認識した上記一のユーザ又は上記複数ユーザに対応する上記環境設定情報に従って処理を実行している場合、当該環境設定情報に基づいて、データ記憶手段に記憶されているデータの中から上記一のユーザ又は上記複数ユーザに対してアクセス権限が付与されているデータを認識し、当該認識したデータのみにアクセスする
ことを特徴とする請求項２に記載の情報処理装置の利用環境提供方法。
【請求項４】
上記処理実行ステップでは、
上記ユーザ認識ステップによって認識した上記一のユーザに対応する上記環境設定情報に従って処理を実行している場合、上記一のユーザに対してアクセス権限が付与されていないデータに対しては、当該データについてのアクセス権限を有する他ユーザからの音声による許可信号が入力された後にアクセスする
ことを特徴とする請求項３に記載の情報処理装置の利用環境提供方法。
【請求項５】
上記処理実行ステップでは、
上記ユーザ認識ステップによって認識した上記一のユーザに対応する上記環境設定情報に従って処理を実行している場合、当該環境設定情報に基づいて、コンテンツデータを受信するための複数チャンネルの中から上記一のユーザに選択権限が付与されているチャンネルを認識し、当該認識したチャンネルのみを選択して上記コンテンツデータを受信し
上記ユーザ認識手段によって認識した上記複数ユーザに対応する上記環境設定情報に従って処理を実行している場合には、上記一のユーザに対応する上記環境設定情報を無視して上記複数チャンネルのそれぞれを選択してコンテンツデータを受信する
ことを特徴とする請求項２に記載の情報処理装置の利用環境提供方法。
【請求項６】
遠隔装置から通信路を介して入力される音声信号を受信する音声信号受信ステップ
を有し、
上記ユーザ認識ステップでは、
上記音声信号受信ステップで受信した上記音声信号に基づいて当該音声信号に対応するユーザを遠隔ユーザとして認識し、
上記処理実行ステップでは、
他のユーザに対応する上記環境設定情報に従って処理を実行することにより当該他のユーザ専用の利用環境を提供している場合でも、上記遠隔ユーザに対応する上記環境設定情報に従って処理を実行する
ことを特徴とする請求項２に記載の情報処理装置の利用環境提供方法。
【請求項７】
情報処理装置に対し、
外部から音声信号が入力される音声信号入力ステップと、
上記音声信号入力ステップで入力された上記音声信号に基づいて当該音声信号に対応するユーザを認識するユーザ認識ステップと、
上記ユーザ認識ステップによって一のユーザを認識した場合、所定の設定情報記憶手段に記憶されている複数の環境設定情報のうち当該一のユーザに対応する上記環境設定情報に従って処理を実行することにより当該一のユーザ専用の利用環境を提供し、上記ユーザ認識ステップによって複数ユーザを認識した場合、上記設定情報記憶手段に記憶されている複数の環境設定情報のうち当該複数ユーザに対応する上記環境設定情報に従って処理を実行することにより当該複数ユーザ共用の利用環境を提供する処理実行ステップと
を実行させるための利用環境提供プログラム。
【発明の詳細な説明】
【技術分野】
【０００１】
本発明は情報処理装置、利用環境提供方法及び利用環境提供プログラムに関し、例えば、複数ユーザが同時に１台の情報処理装置を利用する場合に適用して好適なものである。
【背景技術】
【０００２】
近年、様々なユーザによって１台の情報処理装置が入れ替わり立ち代わり使用される状況が多々想定されることから、そのとき使用するユーザに応じた設定で動作するようになされた情報処理装置が普及しつつある。
【０００３】
例えばこのような情報処理装置として次のようなものが提案されている。すなわち情報処理装置は、そのとき使用するユーザの音声が入力されると、入力された音声によってそのユーザを特定する。そしてこの情報処理装置は、記憶部に予め記憶されている複数種類の環境設定情報のうち、当該特定したユーザ用の環境設定情報に従って処理を実行することにより、当該ユーザ専用の利用環境を提供し得るようになされている（例えば特許文献１参照）。
【特許文献１】特開２０００−３０５５９６公報
【発明の開示】
【発明が解決しようとする課題】
【０００４】
しかしながらこのような情報処理装置が、複数ユーザによって同時に利用される場合、ある一のユーザ専用の利用環境を、他の全てのユーザが一緒に利用することになってしまう。このときこの利用環境が、当該一のユーザにとって非常に使用しやすくても、当該他の全てのユーザにとって使用しづらい場合が考えられ、このような場合には、情報処理装置の使い勝手が著しく低下してしまう問題があった。
【０００５】
本発明は以上の点を考慮してなされたもので、複数ユーザによって同時に利用される際の使い勝手を格段と向上させることができる情報処理装置、利用環境提供方法及び利用環境提供プログラムを提案しようとするものである。
【課題を解決するための手段】
【０００６】
かかる課題を解決するため本発明においては、情報処理装置において、外部から音声信号が入力される音声信号入力手段と、音声信号入力手段を介して入力された音声信号に基づいて当該音声信号に対応するユーザを認識するユーザ認識手段と、各ユーザごとに設定された環境設定情報と、複数ユーザごとに設定された環境設定情報とを記憶しておく設定情報記憶手段と、ユーザ認識手段によって一のユーザを認識した場合、当該一のユーザに対応する環境設定情報に従って処理を実行することにより当該一のユーザ専用の利用環境を提供し、ユーザ認識手段によって複数ユーザを認識した場合、当該複数ユーザに対応する環境設定情報に従って処理を実行することにより当該複数ユーザ共用の利用環境を提供する処理実行手段とを設けるようにした。
【０００７】
また本発明においては、情報処理装置の利用環境提供方法において、外部から音声信号が入力される音声信号入力ステップと、音声信号入力ステップで入力された音声信号に基づいて当該音声信号に対応するユーザを認識するユーザ認識ステップと、ユーザ認識ステップによって一のユーザを認識した場合、所定の設定情報記憶手段に記憶されている複数の環境設定情報のうち当該一のユーザに対応する環境設定情報に従って処理を実行することにより当該一のユーザ専用の利用環境を提供し、ユーザ認識ステップによって複数ユーザを認識した場合、設定情報記憶手段に記憶されている複数の環境設定情報のうち当該複数ユーザに対応する環境設定情報に従って処理を実行することにより当該複数ユーザ共用の利用環境を提供する処理実行ステップとを設けるようにした。
【０００８】
さらに本発明においては、情報処理装置に対して実行させるための利用環境提供プログラムにおいて、外部から音声信号が入力される音声信号入力ステップと、音声信号入力ステップで入力された音声信号に基づいて当該音声信号に対応するユーザを認識するユーザ認識ステップと、ユーザ認識ステップによって一のユーザを認識した場合、所定の設定情報記憶手段に記憶されている複数の環境設定情報のうち当該一のユーザに対応する環境設定情報に従って処理を実行することにより当該一のユーザ専用の利用環境を提供し、ユーザ認識ステップによって複数ユーザを認識した場合、設定情報記憶手段に記憶されている複数の環境設定情報のうち当該複数ユーザに対応する環境設定情報に従って処理を実行することにより当該複数ユーザ共用の利用環境を提供する処理実行ステップとを設けるようにした。
【０００９】
この結果この情報処理装置によれば、複数ユーザによって同時に利用される場合に、当該複数ユーザ共用の利用環境を提供することができる。
【発明の効果】
【００１０】
本発明によれば、情報処理装置は、複数ユーザによって同時に利用される場合、当該複数ユーザ共用の利用環境を提供することができるので、この結果、複数ユーザによって同時に利用される際の使い勝手を格段と向上させることができる。
【発明を実施するための最良の形態】
【００１１】
以下図面について、本発明の一実施の形態を詳述する。
【００１２】
（１）ハードディスクレコーダの構成
図１において１はハードディスクレコーダを示し、ＣＰＵ（Central Processing Unit）２は、ＲＯＭ（Read Only Memory）３又はハードディスクドライブ４に予め格納されている基本プログラム等の各種プログラムを、ＲＡＭ（Random Access Memory）５に適宜読み出してこれを実行することにより、テレビ番組の録画／再生処理、話者認識処理、音声認識処理等の各種処理を実行するようになされている。
【００１３】
例えば、ユーザにより操作入力部６を介して現在放送中のテレビ番組のチャンネルを選局する選局操作が行われると、当該選局操作の内容を表す操作情報が入力処理部７を介してＣＰＵ２に入力される。これに応じてＣＰＵ２は、当該操作情報に基づいてチューナ部８を制御することにより、かかる選局操作に応じたテレビ番組の放送波を復調し、この結果得られた映像データを表示処理部９へ送出する。このとき表示処理部９は、当該映像データに基づくテレビ番組の映像を、液晶ディスプレイ等からなる表示部１０に表示する。
【００１４】
また、ユーザにより操作入力部６を介してテレビ番組を録画するための録画操作が行われると、当該録画操作の内容を表す操作情報が入力処理部７を介してＣＰＵ２に入力される。これに応じてＣＰＵ２は、当該操作情報に基づいてチューナ部８を制御することにより、かかる録画操作に応じたテレビ番組の放送波を復調し、この結果得られた映像データをハードディスクドライブ４に記録する。
【００１５】
また、ユーザにより操作入力部６を介してハードディスクドライブ４に記録されている映像データを再生するための映像データ再生操作が行われると、当該映像データ再生操作の内容を表す操作情報が入力処理部７を介してＣＰＵ２に入力される。これに応じてＣＰＵ２は、当該操作情報に従ってハードディスクドライブ４から再生する映像データを読み出し、これを表示処理部９へ送出する。このとき表示処理部９は、当該映像データに基づくテレビ番組の映像を表示部１０に表示する。
【００１６】
また、ユーザにより操作入力部６を介して音楽ＣＤ（Compact Disc）を再生するためのＣＤ再生操作が行われると、当該ＣＤ再生操作の内容を表す操作情報が入力処理部７を介してＣＰＵ２に入力される。これに応じてＣＰＵ２は、当該操作情報に従ってメディアドライブ部１１に挿入されている音楽ＣＤから音楽データを読み出し、これを音楽データ処理部１２へ送出する。このとき音楽データ処理部１２は、当該音楽データに基づく音楽をスピーカ１３から出力する。
【００１７】
また、ユーザにより操作入力部６を介して電子メールを受信するためのメール受信操作が行われると、当該メール受信操作が行われたことを示す操作情報が入力処理部７を介してＣＰＵ２に入力される。これに応じてＣＰＵ２は、インターネット通信処理部１４及びネットワークインターフェース１５を制御して、インターネットＮＴ１におけるメールサーバ（図示せず）にアクセスし、このメールサーバから当該ユーザ宛の電子メールを取得する。
【００１８】
ところで本実施の形態のハードディスクレコーダ１は、ユーザの音声がマイクロフォン１６及び音声データ処理部１７を順次介して音声データとして入力されると、この音声データに基づいて話者認識処理を実行することにより、当該ユーザが誰であるかを特定し得るようになされている。
【００１９】
この話者認識処理としては、例えば特開２００２−３７２９９２公報に開示されているような手法が適用できる。因みにこの手法では、エンロール／トレーニングフェーズと適用フェーズとが設けられている。このエンロール／トレーニングフェーズにおいては、ユーザの音声の特徴を予め識別音声データとして所定のデータベースに登録する。そしてこの後の適用フェーズにおいて、ユーザの音声が音声データとして入力されると、この入力された音声データがデータベースに登録されている識別音声データに基づいて評価され、この結果、かかるユーザが誰であるかを識別するようになされている。
【００２０】
さらに本実施の形態のハードディスクレコーダ１は、マイクロフォン１６及び音声データ処理部１７を介して入力されたユーザの音声データに対して音声認識処理を実行することにより、当該ユーザが発した音声の内容も認識し得るようにもなされている。
【００２１】
なおここから以下では、説明の便宜上、このハードディスクレコーダ１が、ユーザ「お父さん」、ユーザ「お母さん」、ユーザ「かなこ」の３人によって利用されることを前提として説明を行う。
【００２２】
（２）録画予約処理
ユーザ「お父さん」によって録画予約の設定が行われる場合を一例として、ハードディスクレコーダ１で実行される録画予約処理の手順ＲＴ１（図２）を説明する。
【００２３】
ユーザ「お父さん」によってハードディスクレコーダ１の筐体に設けられた電源ボタンが操作されると、ＣＰＵ２はステップＳＰ１において所定の起動処理を実行し、ログイン画面（図示せず）を表示部１０に表示する。
【００２４】
このログイン画面では、ハードディスクレコーダ１をこれから利用するユーザに対し、何らかの音声を発せさせるように促すメッセージが表示される。これを受けてユーザ「お父さん」が何らかの音声をマイクロフォン１６に向かって発することにより、当該音声に対応する音声データがハードディスクレコーダ１に入力されると、ＣＰＵ２は続くステップＳＰ２へ進み、入力された音声データについて話者認識処理を実行し、これによりマイクロフォン１６に向かって音声を発したユーザが「お父さん」であることを認識する。
【００２５】
次にＣＰＵ２はステップＳＰ３へ進み、ハードディスクドライブ４に予め記憶されている複数種類の設定情報のうち、ステップＳＰ２で認識したユーザ「お父さん」用の設定情報を読み出し、これに従って画面表示処理を実行することにより、図３に示すような「お父さん」専用の初期メニュー画面ＳＣ１を表示する。
【００２６】
このようにしてユーザ（この場合、「お父さん」）は、パスワードやＩＤ等を操作入力部６を介して入力しなくても、何らかの音声をマイクロフォン１６に向かって発するだけで、ハードディスクレコーダ１にログインすることができる。そしてユーザ「お父さん」がログインしたときハードディスクレコーダ１は、「お父さん」用の設定情報に従って画面表示処理を実行することにより、「お父さん」専用の初期メニュー画面ＳＣ１を表示して、ユーザ「お父さん」専用の利用環境を提供するようになされている。
【００２７】
因みにこの「お父さん」用の設定情報には、ユーザ「お父さん」が自分で予め設定した壁紙の種類やメニューの表示順序等が示されている。これにより、この「お父さん」用の設定情報に基づいて表示された初期メニュー画面ＳＣ１には、ユーザ「お父さん」の嗜好に応じた壁紙が表示され、またユーザ「お父さん」の使いやすい順序で各種メニューが表示されるようになされている。
【００２８】
ここで本実施の形態の場合、このハードディスクレコーダ１のハードディスクドライブ４に対しては、「お父さん」用の設定情報だけでなく、「お母さん」用の設定情報や「かなこ」用の設定情報など、各ユーザごとの設定情報も予め記憶されており、またこれに加えて、「お父さん」及び「かなこ」用の設定情報も予め記憶されている。この「お父さん」及び「かなこ」用の設定情報には、ユーザ「お父さん」及びユーザ「かなこ」が共同で予め設定した壁紙の種類やメニューの表示順序等が示されている。
【００２９】
続いて、表示部１０に「お父さん」専用の初期メニュー画面ＳＣ１が表示された状態で、ユーザ「お父さん」が音声「１を選択」をマイクロフォン１６に向かって発することにより、当該音声「１を選択」に対応する音声データがハードディスクレコーダ１に入力されると、ＣＰＵ２はステップＳＰ４へ進み、入力された音声データについて話者認識処理と音声認識処理とを実行することにより、ユーザ「お父さん」から音声「１を選択」が発せられたことを認識する。かくしてＣＰＵ２は、初期メニュー画面ＳＣ１に表示されている複数のメニューのうち、メニュー「１．録画予約の設定」がユーザ「お父さん」によって選択されたことを認識する。
【００３０】
これを受けてＣＰＵ２はステップＳＰ５へ進み、録画予約を設定するための録画予約設定画面（図示せず）を表示する。この録画予約設定画面では、ユーザ「お父さん」に対し、録画予約するテレビ番組のチャンネル番号や放送時間帯等を指定するための音声を、マイクロフォン１６に向かって発するように促すメッセージが表示される。
【００３１】
これを受けてユーザ「お父さん」が、マイクロフォン１６に向かってチャンネル番号や放送時間帯等を指定する音声を発することにより、当該音声に対応する音声データがハードディスクレコーダ１に入力されると、これに応じてＣＰＵ２はステップＳＰ６へ進み、入力された音声データについて話者認識処理と音声認識処理とを実行し、これによりユーザ「お父さん」の音声によって指定されたチャンネル番号や放送時間帯等を認識し、当該認識結果に基づいて録画予約を設定する。
【００３２】
やがて、録画予約が設定されたテレビ番組の放送開始時刻に至ったとき、ＣＰＵ２はステップＳＰ７へ進んで、録画処理を開始することにより、ユーザ「お父さん」所望のテレビ番組を録画し始める。そしてＣＰＵ２は、この録画処理が終了したとき、当該録画したテレビ番組の放送日及びタイトルを、「お父さん」用の設定情報に追記すると共に、「お父さん」及び「かなこ」用の設定情報にも追記する。
【００３３】
このようにしてハードディスクレコーダ１は、ユーザ「お父さん」の録画予約設定に応じたテレビ番組を録画し得るようになされている。
【００３４】
（３）再生権限設定処理
次に、図４（図２との対応部分に同一符号を付す）に示すフローチャートを用いて、再生権限設定処理の手順ＲＴ２を説明する。因みにこの再生権限設定処理とは、例えば、ユーザ「お父さん」の録画予約設定に応じて録画したテレビ番組（以下適宜、これを録画済テレビ番組とも呼ぶ）の映像データを再生する権限を、ユーザ「かなこ」等の各ユーザに対して設定するための処理である。
【００３５】
例えば、ハードディスクレコーダ１の表示部１０にログイン画面が表示された状態で（ステップＳＰ１）、ユーザ「お父さん」がログインするための音声を発すると、これに応じてハードディスクレコーダ１は話者認識処理を実行してユーザ「お父さん」を認識し（ステップＳＰ２）、図３に示す「お父さん」専用の初期メニュー画面ＳＣ１を表示する（ステップＳＰ３）。続いてユーザ「お父さん」が音声「２を選択」をマイクロフォン１６に向かって発し、これに応じてハードディスクレコーダ１は話者認識処理及び音声認識処理を実行してユーザ「お父さん」からの音声の内容を把握すると（ステップＳＰ４）、ハードディスクレコーダ１は表示部１０に図５に示すような「お父さん」専用の録画済テレビ番組一覧画面ＳＣ２を表示する（ステップＳＰ１０）。
【００３６】
この「お父さん」専用の録画済テレビ番組一覧画面ＳＣ２には、ユーザ「お父さん」による録画予約設定に応じて録画された過去１週間分のテレビ番組のタイトルが一覧表示されている。
【００３７】
この録画済テレビ番組一覧画面ＳＣ２が表示部１０に表示された状態で、ユーザ「お父さん」がマイクロフォン１６に向かって音声「１を共有」を発することにより、当該音声「１を共有」に対応する音声データがハードディスクレコーダ１に入力されると、ＣＰＵ２はステップＳＰ１１へ進んで、当該入力された音声データについて話者認識処理と音声認識処理とを実行することにより、ユーザ「お父さん」から音声「１を共有」が発せられたことを認識する。そしてＣＰＵ２は、当該認識結果に基づいて、録画済テレビ番組一覧画面ＳＣ２の「１」番欄にそのタイトルが表示されている録画済テレビ番組「ニュースステータス」の映像データを再生することができる再生権限を、ユーザ「かなこ」及び「お母さん」にも与えるようにするための、権限付与処理を実行する。
【００３８】
この権限付与処理においては、ユーザ「お父さん」だけでなく、ユーザ「かなこ」及び「お母さん」にも、録画済テレビ番組「ニュースステータス」の映像データを再生させ得るようにする旨を、「お父さん」用の設定情報、「かなこ」用の設定情報、「お母さん」用の設定情報、「お父さん」及び「かなこ」用の設定情報のそれぞれに、書き込むようになされている。
【００３９】
続いてＣＰＵ２はステップＳＰ１２へ進み、図６に示すように、当該書き込み後の「お父さん」用の設定情報に基づいて更新した新たな録画済テレビ番組一覧画面ＳＣ３を表示する。この録画済テレビ番組一覧画面ＳＣ３においては、録画済テレビ番組「ニュースステータス」のタイトルと対応付けられて、他のユーザ（この場合、ユーザ「かなこ」及びユーザ「お母さん」）も録画済テレビ番組「ニュースステータス」の映像データを再生させることが可能であることを表す文字情報「共有」が表示される。
【００４０】
また、図６に示す「お父さん」専用の録画済テレビ番組一覧画面ＳＣ３が表示部１０に表示された状態で、例えばユーザ「お父さん」がマイクロフォン１６に向かって音声「２をかなこと共有」を発することにより、当該音声「２をかなこと共有」に対応する音声データがハードディスクレコーダ１に入力されると、ＣＰＵ２はステップＳＰ１３へ進んで、入力された音声データについて話者認識処理と音声認識処理とを実行することにより、ユーザ「お父さん」から音声「２をかなこと共有」が発せられたことを認識する。そしてＣＰＵ２は、当該認識結果に基づいて、録画済テレビ番組一覧画面ＳＣ３の「２」番欄にそのタイトルが表示されている録画済テレビ番組「サッカーＥリーグ」の映像データを再生することができる再生権限を、ユーザ「かなこ」にも与えるようにするための、権限付与処理を実行する。
【００４１】
この権限付与処理においては、ユーザ「かなこ」にも録画済テレビ番組「サッカーＥリーグ」の映像データを再生させ得るようにする旨を、「かなこ」用の設定情報、「お父さん」及び「かなこ」用の設定情報のそれぞれに、書き込むようになされている。
【００４２】
続いてＣＰＵ２はステップＳＰ１４へ進み、図７に示すように、当該書き込み後の「お父さん」用の設定情報に基づいて更新した新たな録画済テレビ番組一覧画面ＳＣ４を表示する。この録画済テレビ番組一覧画面ＳＣ４においては、録画済テレビ番組「サッカーＥリーグ」のタイトルと対応付けられて、ユーザ「かなこ」も録画済テレビ番組「サッカーＥリーグ」の映像データを再生させることが可能であることを表す文字情報「かなこと共有」が表示される。
【００４３】
さらに、図７に示す「お父さん」専用の録画済テレビ番組一覧画面ＳＣ４が表示部１０に表示された状態で、例えばユーザ「お父さん」がマイクロフォン１６に向かって音声「３を個人」を発することにより、当該音声「３を個人」に対応する音声データがハードディスクレコーダ１に入力されると、ＣＰＵ２はステップＳＰ１５へ進んで、入力された音声データについて話者認識処理と音声認識処理とを実行することにより、ユーザ「お父さん」から音声「３を個人」が発せられたことを認識する。そしてＣＰＵ２は、当該認識結果に基づいて、録画済テレビ番組一覧画面ＳＣ４の「３」番欄にそのタイトルが表示されている録画済テレビ番組「エイリアンの世界５」の映像データを再生することができる再生権限を、ユーザ「お父さん」だけで占有するようにするための、権限付与処理を実行する。
【００４４】
この権限付与処理においては、ユーザ「お父さん」だけが録画済テレビ番組「エイリアンの世界５」の映像データを再生し得るようにする旨を、「お父さん」用の設定情報、「お父さん」及び「かなこ」用の設定情報のそれぞれに、書き込むようになされている。
【００４５】
そしてＣＰＵ２はステップＳＰ１６へ進み、図８に示すように、当該書き込み後の「お父さん」用の設定情報に基づいて更新した新たな録画済テレビ番組一覧画面ＳＣ５を表示する。この録画済テレビ番組一覧画面ＳＣ５においては、録画済テレビ番組「エイリアンの世界５」のタイトルと対応付けられて、ユーザ「お父さん」だけが録画済テレビ番組「エイリアンの世界５」の映像データを再生させることが可能であることを表す文字情報「個人」が表示される。
【００４６】
このようにしてユーザ「お父さん」は、ユーザ「お父さん」自身の録画予約設定に応じて録画されたテレビ番組の映像データについての再生権限を、ユーザ「お母さん」及び「かなこ」と共有するようにしたり、ユーザ「かなこ」のみと共有するようにしたりする等、任意に設定することができる。
【００４７】
この結果、例えばユーザ「かなこ」がこのハードディスクレコーダ１に対してログインし、「かなこ」専用の録画済テレビ番組一覧画面を表示するようにするための音声をマイクロフォン１６に向かって順次発すると、これに応じてＣＰＵ２は、「かなこ」用の設定情報に基づいて、図９に示すような「かなこ」専用の録画済テレビ番組一覧画面ＳＣ６を表示部１０に表示する。この「かなこ」専用の録画済テレビ番組一覧画面ＳＣ６には、ユーザ「お父さん」によってユーザ「かなこ」にも再生権限が設定された、録画済テレビ番組「ニュースステータス」及び「サッカーＥリーグ」のタイトルが表示される。
【００４８】
（４）映像データ再生処理
次に、図１０（図４との対応部分に同一符号を付す）に示すフローチャートを用いて、録画済テレビ番組の映像データを再生する映像データ再生処理の手順ＲＴ３について説明する。
【００４９】
例えば、ハードディスクレコーダ１の表示部１０にログイン画面が表示された状態で（ステップＳＰ１）、ユーザ「お父さん」がログインするための音声を発すると、これに応じてハードディスクレコーダ１は話者認識処理を実行してユーザ「お父さん」を認識し（ステップＳＰ２）、図３に示すような「お父さん」専用の初期メニュー画面ＳＣ１を表示する（ステップＳＰ３）。続いてユーザ「お父さん」が音声「２を選択」をマイクロフォン１６に向かって発し、これに応じてハードディスクレコーダ１は話者認識処理及び音声認識処理を実行してユーザ「お父さん」の選択したメニューを認識すると（ステップＳＰ４）、ハードディスクレコーダ１は表示部１０に図８に示すような「お父さん」専用の録画済テレビ番組一覧画面ＳＣ５を表示する（ステップＳＰ２０）。
【００５０】
そして、ユーザ「お父さん」が音声「１を再生」をマイクロフォン１６に対して発することにより、当該音声「１を再生」に対応する音声データがハードディスクレコーダ１に入力されると、ＣＰＵ２はステップＳＰ２１へ進み、当該入力された音声データについて話者認識処理と音声認識処理とを実行することにより、ユーザ「お父さん」から音声「１を再生」が発せられたことを認識する。次にＣＰＵ２は、当該認識結果に基づいて、録画済テレビ番組一覧画面ＳＣ５の「１」番欄にそのタイトルが表示されている録画済テレビ番組「ニュースステータス」の映像データを再生する再生処理を実行することにより、録画済テレビ番組「ニュースステータス」の映像を表示部１０に表示する。
【００５１】
このようにしてユーザ「お父さん」は、ユーザ「お父さん」に再生権限が与えられている録画済テレビ番組「ニュースステータス」の映像データを、「お父さん」専用の利用環境（つまり、「お父さん」専用の録画済テレビ番一覧画面ＳＣ５）から再生することができる。
【００５２】
一方、このハードディスクレコーダ１は、ユーザ「お父さん」に再生権限が与えられていない録画済テレビ番組の映像データ（例えば、ユーザ「かなこ」のみが再生権限を有する録画済テレビ番組「井藤家の食卓」の映像データ（図９参照））のタイトルを、「お父さん」専用の録画済テレビ番組一覧画面ＳＣ５には表示しない。このようにしてハードディスクレコーダ１においては、ユーザ「お父さん」専用の利用環境から、ユーザ「お父さん」に再生権限のない録画済テレビ番組の映像データを、再生し得ないようになされている。
【００５３】
ところで、かかる録画済テレビ番組「ニュースステータス」の再生処理が終了して、例えばユーザ「かなこ」もこのハードディスクレコーダ１を利用する状況になったとき、ユーザ「お父さん」は音声「追加ログイン」をマイクロフォン１６に向かって発することにより、当該音声「追加ログイン」に対応する音声データをハードディスクレコーダ１に対して入力する。このときＣＰＵ２はステップＳＰ２２へ進み、当該入力された音声データについて話者認識処理と音声認識処理とを実行することにより、ユーザ「お父さん」から音声「追加ログイン」が発せられたことを認識する。
【００５４】
これに応じてＣＰＵ２はステップＳＰ２３へ進み、現在ログインしているユーザ「お父さん」に加えて、他のユーザも追加的にログインさせるための追加ログイン画面（図示せず）を表示部１０に表示する。
【００５５】
この追加ログイン画面では、新たにログインするユーザに対し、何らかの音声を発せさせるように促すメッセージが表示される。これを受けてユーザ「かなこ」が何らかの音声をマイクロフォン１６に向かって発することにより、当該音声に対応する音声データがハードディスクレコーダ１に入力されると、ＣＰＵ２は続くステップＳＰ２４へ進み、入力された音声データに基づいて話者認識処理を実行し、これによりマイクロフォン１６に対して音声を発したユーザが「かなこ」であることを認識する。
【００５６】
次にＣＰＵ２はステップＳＰ２５へ進み、ハードディスクドライブ４に予め記憶されている「お父さん」及び「かなこ」用の設定情報を読み出し、これに従って画面表示処理を実行することにより、図１１に示すような「お父さん」及び「かなこ」共用の初期メニュー画面ＳＣ７を表示部１０に表示する。
【００５７】
このようにユーザ「お父さん」が既にログインしている状態で、ユーザ「かなこ」が追加的にログインすると、ハードディスクレコーダ１は、「お父さん」及び「かなこ」用の設定情報に従って画面表示処理を実行することにより、「お父さん」及び「かなこ」共用の初期メニュー画面ＳＣ７を表示して、ユーザ「お父さん」及び「かなこ」共用の利用環境を提供するようになされている。
【００５８】
また本実施の形態の場合、この「お父さん」及び「かなこ」用の設定情報については、ユーザ「お父さん」及びユーザ「かなこ」が共同で予め設定したものである。これによりこの「お父さん」及び「かなこ」共用の初期メニュー画面ＳＣ７においては、ユーザ「お父さん」及びユーザ「かなこ」の両方の嗜好に応じた壁紙や、ユーザ「お父さん」及びユーザ「かなこ」の両方にとって使いやすい順番で並べられた各種メニューが表示されるようになされている。
【００５９】
そして、ユーザ「お父さん」又はユーザ「かなこ」がマイクロフォン１６に向かって音声「１を選択」を発することにより、当該音声「１を選択」に対応する音声データがハードディスクレコーダ１に入力されると、ＣＰＵ２はステップＳＰ２６へ進み、入力された音声データについて話者認識処理と音声認識処理とを実行することにより、ユーザ「お父さん」又は「かなこ」によって音声「１を選択」が発せられたことを認識する。この認識結果に応じてＣＰＵ２は、初期メニュー画面ＳＣ７に表示されている複数メニューのうちのメニュー「１．録画済テレビ番組の一覧」が、ユーザ「お父さん」又は「かなこ」によって選択されたと判断する。
【００６０】
これを受けてＣＰＵ２はステップＳＰ２７へ進み、図１２に示すような、「お父さん」及び「かなこ」共用の録画済テレビ番組一覧画面ＳＣ８を表示部１０に表示する。この「お父さん」及び「かなこ」共用の録画済テレビ番組一覧画面ＳＣ８には、ユーザ「お父さん」及びユーザ「かなこ」が共に再生権限を有する録画済テレビ番組（つまり、「ニュースステータス」と「サッカーＥリーグ」）のタイトルが表示されると共に、ユーザ「お父さん」又はユーザ「かなこ」の何れか一方のみが再生権限を有する録画済テレビ番組（つまり、「エイリアンの世界５」と「井藤家の食卓」）のタイトルが網掛けされた状態で表示される。
【００６１】
例えば、ユーザ「お父さん」又はユーザ「かなこ」の何れかがマイクロフォン１６に向かって音声「１を再生」を発することにより、当該音声「１を再生」に対応する音声データがハードディスクレコーダ１に入力されると、ＣＰＵ２はステップＳＰ２８へ進み、入力された音声データについて話者認識処理と音声認識処理とを実行することにより、ユーザ「お父さん」又はユーザ「かなこ」の何れかから音声「１を再生」が発せられたことを認識する。次にＣＰＵ２は、当該認識結果に基づいて、録画済テレビ番組一覧画面ＳＣ８の「１」番欄にそのタイトルが表示されている録画済テレビ番組「ニュースステータス」の映像データを再生する再生処理を実行することにより、録画済テレビ番組「ニュースステータス」の映像を表示部１０に表示する。
【００６２】
このように「お父さん」及び「かなこ」共用の利用環境（つまり、「お父さん」及び「かなこ」共用の録画済テレビ番組一覧画面ＳＣ８）においては、ユーザ「お父さん」又はユーザ「かなこ」のどちらでも、ユーザ「お父さん」及びユーザ「かなこ」の両方に再生権限が与えられている録画済テレビ番組の映像データを、再生することができるようになされている。
【００６３】
ところで、例えばユーザ「かなこ」がマイクロフォン１６に向かって音声「３を再生」を発することにより、当該音声「３を再生」に対応する音声データがハードディスクレコーダ１に入力されると、ＣＰＵ２はステップＳＰ２９へ進み、入力された音声データについて話者認識処理と音声認識処理とを実行することにより、ユーザ「かなこ」によって音声「３を再生」が発せられたことを認識する。このときＣＰＵ２は、「お父さん」及び「かなこ」用の設定情報を参照して、録画済テレビ番組一覧画面ＳＣ８の「３」番欄にそのタイトルが表示されている録画済テレビ番組「エイリアンの世界５」の映像データの再生権限が、ユーザ「かなこ」に与えられていないことを確認すると、当該再生権限を有するユーザ「お父さん」に許可を求めるための許可要求画面（図示せず）を表示する。
【００６４】
この許可要求画面には、ユーザ「お父さん」に対し、録画済テレビ番組「エイリアンの世界５」の映像データの再生を許可するための音声を発するように要求するメッセージが表示される。これを受けてユーザ「お父さん」が再生を許可するための音声をマイクロフォン１６に向かって発することにより、当該音声に対応する音声データがハードディスクレコーダ１に入力されると、ＣＰＵ２は続くステップＳＰ３０へ進み、入力された音声データに基づいて話者認識処理と音声認識処理とを実行し、これによりユーザ「お父さん」によって録画済テレビ番組「エイリアンの世界５」の映像データの再生が許可されたことを認識する。
【００６５】
そしてＣＰＵ２はステップＳＰ３１へ進み、再生が許可された録画済テレビ番組「エイリアンの世界５」の映像データを再生する再生処理を実行することにより、録画済テレビ番組「エイリアンの世界５」の映像を表示部１０に表示する。
【００６６】
このようにこのハードディスクレコーダ１においては、ユーザ「お父さん」が再生権限を有し、かつ、ユーザ「かなこ」に再生権限が与えられていない録画済テレビ番組については、ユーザ「お父さん」の許可なしでは再生できず、また同じように、ユーザ「かなこ」が再生権限を有し、かつ、ユーザ「お父さん」に再生権限が与えられていない録画済テレビ番組については、ユーザ「かなこ」の許可なしでは再生できないようになされている。
【００６７】
従って、例えばユーザ「お父さん」は、自身の録画予約設定によって録画した複数の録画済テレビ番組のうち、ユーザ「かなこ」と一緒に見たい録画済テレビ番組についての再生権限のみを、ユーザ「かなこ」と共有するように予め設定しておく。また同じようにしてユーザ「かなこ」も、自身の録画予約設定によって録画した複数の録画済テレビ番組のうち、ユーザ「お父さん」と一緒に見たい録画済テレビ番組についての再生権限のみを、ユーザ「お父さん」と共有するように予め設定しておく。
【００６８】
このようにしておくことにより、ユーザ「お父さん」及びユーザ「かなこ」は、２人で一緒に見たい録画済テレビ番組を、「お父さん」及び「かなこ」共用の利用環境から自由に再生することができる。
【００６９】
（５）選局制限設定処理
次に、このハードディスクレコーダ１の管理者（Administrator）であるユーザ「お父さん」が、ユーザ「かなこ」の選局できるチャンネルを制限する場合を一例として、選局制限設定処理の手順ＲＴ４を、図１３（図４との対応部分に同一符号を付す）を用いて説明する。
【００７０】
例えば、ハードディスクレコーダ１の表示部１０にログイン画面が表示された状態で（ステップＳＰ１）、ユーザ「お父さん」がログインするための音声を発すると、これに応じてハードディスクレコーダ１は話者認識処理を実行してユーザ「お父さん」を認識し（ステップＳＰ２）、図３に示すような「お父さん」専用の初期メニュー画面ＳＣ１を表示する（ステップＳＰ３）。
【００７１】
続いて、ユーザ「お父さん」が音声「３を選択」をマイクロフォン１６に対して発することにより、当該音声「３を選択」に対応する音声データがハードディスクレコーダ１に入力されると、ＣＰＵ２はステップＳＰ４０へ進み、当該入力された音声データについて話者認識処理と音声認識処理とを実行することにより、ユーザ「お父さん」から音声「３を選択」が発せられたことを認識する。かくしてＣＰＵ２は、初期メニュー画面ＳＣ１に表示されている複数のメニューのうち、メニュー「３．チャンネル選局制限の設定」がユーザ「お父さん」によって選択されたことを認識する。
【００７２】
これを受けてＣＰＵ２はステップＳＰ４１へ進み、チャンネルの選局制限を設定するための選局制限設定画面（図示せず）を表示する。この選局制限設定画面では、ユーザ「お父さん」に対し、チャンネルの選局制限を設定する対象ユーザのユーザ名と制限するチャンネルの番号とを指定するための音声を、マイクロフォン１６に向かって発するように促すメッセージが表示される。
【００７３】
これを受けてユーザ「お父さん」が、マイクロフォン１６に向かって音声「ユーザかなこ、チャンネル番号５」を発することにより、当該音声に対応する音声データがハードディスクレコーダ１に入力されると、これに応じてＣＰＵ２はステップＳＰ４２へ進み、当該音声データに対して話者認識処理と音声認識処理とを実行し、これによりユーザ「お父さん」の音声によって指定されたユーザ「かなこ」とチャンネルの番号「５」とを認識する。
【００７４】
そしてＣＰＵ２は続くステップＳＰ４３へ進み、ステップＳＰ４２の認識結果に基づいて、ユーザ「かなこ」に「５」チャンネルを選局させ得ないようにする旨を、「かなこ」用の設定情報を書き込んで、選局制限設定処理を終了する。
【００７５】
ここで、この選局制限を設定したユーザ「お父さん」がログオフした後、ユーザ「かなこ」がハードディスレコーダにログインしてチャンネルの選局を行う場合の処理を、図１４に示すフローチャートを用いて説明する。
【００７６】
例えば、ハードディスクレコーダ１の表示部１０にログイン画面が表示された状態で（ステップＳＰ５０）、ユーザ「かなこ」がログインするための音声を発すると、これに応じてハードディスクレコーダ１は話者認識処理を実行してユーザ「かなこ」を認識し（ステップＳＰ５１）、図１５に示すような「かなこ」専用の初期メニュー画面ＳＣ９を表示する（ステップＳＰ５２）。そして、ユーザ「かなこ」が音声によって初期メニュー画面ＳＣ９におけるメニュー「１．現在放送中のテレビ番組を視聴」を選択すると、ＣＰＵ２は次のステップＳＰ５３へ進んで、ユーザ「かなこ」にチャンネルを選局させるための選局画面（図示せず）を表示する。
【００７７】
この選局画面には、ユーザ「かなこ」に対し、チャンネルの番号を指定する音声をマイクロフォン１６に向かって発するように促すメッセージが表示される。これに応じてユーザ「かなこ」が例えば音声「１」をマイクロフォン１６に向かって発することにより、当該音声「１」に対応する音声データがハードディスクレコーダ１に入力されると、ＣＰＵ２はステップＳＰ５４へ進んで、入力された音声データについて話者認識処理と音声認識処理とを実行することにより、ユーザ「かなこ」から音声「１」が発せられたことを認識する。かくしてＣＰＵ２は、ユーザ「かなこ」が「１」チャンネルを選択したことを認識する。
【００７８】
そしてＣＰＵ２はステップＳＰ５５へ進み、「かなこ」用の設定情報を参照して、ユーザ「かなこ」に「１」チャンネルを選局させ得ないようにする旨が、書き込まれていないことを確認すると、ユーザ「かなこ」によって選択された「１」チャンネルのテレビ番組の映像を、表示部１０に表示する。
【００７９】
この後、例えばユーザ「かなこ」が音声「５」をマイクロフォン１６に向かって発することにより、当該音声「５」に対応する音声データがハードディスクレコーダ１に入力されると、ＣＰＵ２はステップＳＰ５６へ進んで、入力された音声データについて話者認識処理と音声認識処理とを実行することにより、ユーザ「かなこ」から音声「５」が発せられたことを認識する。かくしてＣＰＵ２は、ユーザ「かなこ」が「５」チャンネルを選択したことを認識する。
【００８０】
そしてＣＰＵ２はステップＳＰ５７へ進み、「かなこ」用の設定情報を参照して、ユーザ「かなこ」に「５」チャンネルを選局させ得ないようにする旨が、書き込まれていることを確認すると、ユーザ「かなこ」によって選択された「５」チャンネルのテレビ番組の映像を表示部１０に表示しない替わりに、当該「５」チャンネルの選局が制限されている旨のメッセージのみを表示する。
【００８１】
やがて、ユーザ「かなこ」が音声「追加ログイン」をマイクロフォン１６に向かって発することにより、当該音声「追加ログイン」に対応する音声データがハードディスクレコーダ１に入力されると、ＣＰＵ２はステップＳＰ５８へ進み、当該入力された音声データについて話者認識処理と音声認識処理とを実行することにより、ユーザ「かなこ」から音声「追加ログイン」が発せられたことを認識する。この認識結果に応じてＣＰＵ２は、上述した追加ログイン画面（図示せず）を表示部１０に表示する。
【００８２】
この追加ログイン画面が表示部１０に表示された状態で、ユーザ「お父さん」が何らかの音声をマイクロフォン１６に向かって発すると、ＣＰＵ２はステップＳＰ５９に進んで、「お父さん」及び「かなこ」用の設定情報に基づき、図１１に示すような「お父さん」及び「かなこ」共用の初期メニュー画面ＳＣ７を表示部１０に表示する。
【００８３】
そして、ユーザ「かなこ」又はユーザ「お父さん」が音声によって、「お父さん」及び「かなこ」共用の初期メニュー画面ＳＣ７におけるメニュー「３．現在放送中のテレビ番組を視聴」が選択されると、ＣＰＵ２は次のステップＳＰ６０へ進んで、ユーザ「かなこ」又はユーザ「お父さん」にチャンネルを選局させるための選局画面（図示せず）を表示する。
【００８４】
この後、例えばユーザ「かなこ」が音声「５」をマイクロフォン１６に向かって発することにより、当該音声「５」に対応する音声データがハードディスクレコーダ１に入力されると、ＣＰＵ２はステップＳＰ６１へ進んで、当該入力された音声データについて話者認識処理と音声認識処理とを実行することにより、ユーザ「かなこ」から音声「５」が発せられたことを認識する。かくしてＣＰＵ２は、ユーザ「かなこ」が「５」チャンネルを選択したことを認識する。
【００８５】
そしてＣＰＵ２はステップＳＰ６２へ進み、「お父さん」及び「かなこ」用の設定情報を参照して、ユーザ「お父さん」及びユーザ「かなこ」に「５」チャンネルを選局させ得ないようにする旨が、書き込まれていないことを確認すると、ユーザ「かなこ」によって選択された「５」チャンネルのテレビ番組の映像を、表示部１０に表示する。
【００８６】
このようにしてユーザ「お父さん」は、ハードディスクレコーダ１を自分と一緒に利用するときだけ、ユーザ「かなこ」に「５」チャンネルのテレビ番組を視聴させるように設定することができる。
【００８７】
（６）遠隔地からの電話に基づく録画予約処理
本実施の形態のハードディスクレコーダ１は、図１に示すように、公衆回線網ＮＴ２を介して携帯電話機等の電話機と通信するための通信処理部１８を有している。
【００８８】
ここでは、ユーザ「お父さん」が外出先からハードディスクレコーダ１に電話して録画予約設定を行う場合に、このハードディスクレコーダ１で実行される録画予約処理を、図１６に示すフローチャートを用いて説明する。
【００８９】
ユーザ「かなこ」によって既にログインされているハードディスクレコーダ１のＣＰＵ２は、ステップＳＰ７０において、ユーザ「かなこ」の音声による命令に従い、録画済テレビ番組の映像データを再生する再生処理を行い続けている。
【００９０】
この最中に、ユーザ「お父さん」が外出先から携帯電話機を用いてハードディスクレコーダ１に対して電話してくると、ＣＰＵ２はかかる再生処理を継続しながらステップＳＰ７１へ移り、何らかの音声を発するように促すメッセージが表された音声データを、通信処理部１８及び公衆回線網ＮＴ２を順次介して、ユーザ「お父さん」の携帯電話機へ送出する。
【００９１】
これに応じてユーザ「お父さん」が、携帯電話機に向かって何らかの音声を発することにより、当該音声に対応する音声データが公衆回線網ＮＴ２及び通信処理部１８を介してハードディスクレコーダ１に入力されると、ＣＰＵ２はステップＳＰ７２へ進み、入力された音声データに基づいて話者認識処理を実行し、これにより携帯電話機を介して電話をかけてきたユーザが「お父さん」であることを認識する。
【００９２】
このようにして、外部から電話してきたユーザがハードディスクレコーダ１の正規ユーザである「お父さん」であることを認識すると、次にＣＰＵ２はかかる再生処理を継続しながらステップＳＰ７３へ進み、録画予約するテレビ番組のチャンネル番号や放送時間帯等を指定するための音声を発するように促すメッセージが表された音声データを、通信処理部１８及び公衆回線網ＮＴ２を順次介して、ユーザ「お父さん」の携帯電話機へ送出する。
【００９３】
これに応じてユーザ「お父さん」が、携帯電話機に向かってチャンネル番号や放送時間帯等を指定する音声を発することにより、当該音声に対応する音声データが公衆回線網ＮＴ２及び通信処理部１８を介してハードディスクレコーダ１に入力されると、ＣＰＵ２はかかる再生処理を継続しながらステップＳＰ７４へ進み、入力された音声データについて話者認識処理と音声認識処理とを実行し、これによりユーザ「お父さん」の音声によって指定されたチャンネル番号や放送時間帯等を認識し、当該認識結果に基づいて録画予約を設定する。
【００９４】
このようにこのハードディスクレコーダ１は、ユーザ「かなこ」の命令に従って録画済テレビ番組の映像データを再生し続けながら、外出先から携帯電話機を用いて電話してきたユーザ「お父さん」の録画予約設定を受け付けることができるようになされている。
【００９５】
（７）動作及び効果
以上の構成において、ハードディスクレコーダ１は、ユーザ「お父さん」、ユーザ「かなこ」又はユーザ「お母さん」が個別にログインする際に用いる各ユーザ用の設定情報とは別に、ユーザ「お父さん」及びユーザ「かなこ」が同時にログインする際に用いる「お父さん」及び「かなこ」用の設定情報を予めハードディスクドライブ４に記憶しておき、ユーザ「お父さん」とユーザ「かなこ」の両方がログインしたときには、かかる「お父さん」及び「かなこ」用の設定情報に従って処理を実行することにより、「お父さん」及び「かなこ」共用の利用環境を提供するようにした。
【００９６】
これによりこのハードディスクレコーダ１は、ユーザ「お父さん」、ユーザ「かなこ」又はユーザ「お母さん」のそれぞれが使いやすいように設定した各ユーザ専用の利用環境とは別に、ユーザ「お父さん」及びユーザ「かなこ」の両方が使いやすい共用の利用環境を提供することが可能になり、かくして、ユーザ「お父さん」及びユーザ「かなこ」によって同時に利用される際の使い勝手を格段と向上させることができる。
【００９７】
以上の構成によれば、複数ユーザ（本実施の形態の場合、ユーザ「お父さん」とユーザ「かなこ」の２名）によって同時に利用される場合、複数ユーザ共用の利用環境を提供することができる。この結果、複数ユーザによって同時に利用される際の使い勝手を格段と向上させることができるハードディスクレコーダ１を実現することができる。
【００９８】
なお本実施の形態の場合、例えば、「お父さん」の録画予約に応じて録画されたテレビ番組の映像データ（例えば「ニュースステータス」（図８））は、他のユーザに再生権限が与えられている場合であっても、ユーザ「お父さん」の音声によって削除できる旨の許可がなされて、図１７に示すように削除できる旨の文字情報「削除可」が表示された後でなければ、他のユーザによって削除されることはない。このようにしてハードディスクレコーダ１は、各ユーザの映像データを適切に保護するようになされている。
【００９９】
（８）他の実施の形態
なお上述の実施の形態においては、複数ユーザ共用の利用環境を提供し得る情報処理装置として、ハードディスクレコーダ１を適用する場合について述べたが、本発明はこれに限らず、パーソナルコンピュータ等のこの他種々の情報処理装置を適用するようにしても良い。
【０１００】
また上述の実施の形態においては、外部から音声信号が入力される音声信号入力手段として、マイクロフォン１６及び音声データ処理部１７を適用する場合について述べたが、本発明はこれに限らず、この他種々の構成を適用するようにしても良い。
【０１０１】
さらに上述の実施の形態においては、各ユーザごとに設定された環境設定情報（「お父さん」用の設定情報等）と、複数ユーザごとに設定された環境設定情報（「お父さん」及び「かなこ」用の設定情報）とを記憶しておく設定情報記憶手段として、ハードディスクドライブ４を適用する場合について述べたが、本発明はこれに限らず、フラッシュメモリ等のこの他種々の記憶装置を適用するようにしても良い。
【０１０２】
さらに上述の実施の形態においては、各ユーザ専用の利用環境又は複数ユーザ共用の利用環境を提供する処理実行手段として、ＣＰＵ２を適用する場合について述べたが、本発明はこれに限らずこの他種々の構成を適用するようにしても良い。
【０１０３】
さらに上述の実施の形態においては、ユーザ「お父さん」及びユーザ「かなこ」の音声が入力されると、話者認識処理を実行してユーザ「お父さん」及びユーザ「かなこ」を認識し、そして「お父さん」及び「かなこ」用の設定情報に基づいて、ユーザ「お父さん」及びユーザ「かなこ」共用の利用環境を提供するようになされたプログラム（利用環境提供プログラム）が、ハードディスクドライブ４に予め格納されている場合について述べたが、本発明はこれに限らず、インターネットＮＴ１等の電気通信網を介して提供される当該プログラムを、適宜取得してインストールするようにしても良い。
【産業上の利用可能性】
【０１０４】
本発明は、ハードディスクレコーダやビデオレコーダ等の情報処理装置に適用することができる。
【図面の簡単な説明】
【０１０５】
【図１】本実施の形態におけるハードディスクレコーダの構成を示す回路ブロック図である。
【図２】録画予約処理手順（１）を示すシーケンスチャートである。
【図３】初期メニュー画面（１）を示す略線図である。
【図４】再生権限設定処理手順を示すフローチャートである。
【図５】録画済テレビ番組一覧画面（１）を示す略線図である。
【図６】録画済テレビ番組一覧画面（２）を示す略線図である。
【図７】録画済テレビ番組一覧画面（３）を示す略線図である。
【図８】録画済テレビ番組一覧画面（４）を示す略線図である。
【図９】録画済テレビ番組一覧画面（５）を示す略線図である。
【図１０】映像データ再生処理手順を示すフローチャートである。
【図１１】初期メニュー画面（２）を示す略線図である。
【図１２】録画済テレビ番組一覧画面（６）を示す略線図である。
【図１３】選局制限設定処理手順を示すフローチャートである。
【図１４】選局処理手順を示すフローチャートである。
【図１５】初期メニュー画面（３）を示す略線図である。
【図１６】録画予約処理手順（２）を示すフローチャートである。
【図１７】録画済テレビ番組一覧画面（７）を示す略線図である。
【符号の説明】
【０１０６】
１……ハードディスクレコーダ、２……ＣＰＵ、４……ハードディスクドライブ、１６……マイクロフォン、１７……音声データ処理部。
【図１】
2005157894.tif 000003
【図２】
2005157894.tif 000004
【図３】
2005157894.tif 000005
【図４】
2005157894.tif 000006
【図５】
2005157894.tif 000007
【図６】
2005157894.tif 000008
【図７】
2005157894.tif 000009
【図８】
2005157894.tif 000010
【図９】
2005157894.tif 000011
【図１０】
2005157894.tif 000012
【図１１】
2005157894.tif 000013
【図１２】
2005157894.tif 000014
【図１３】
2005157894.tif 000015
【図１４】
2005157894.tif 000016
【図１５】
2005157894.tif 000017
【図１６】
2005157894.tif 000018
【図１７】
2005157894.tif 000019